(57)【要約】【課題】高さ方向に充分な作業スペースを確保できない場合であっても、土砂の揚重積み込み作業を効率的に行う。【解決手段】掘削土砂をクラムシェル４により揚重して底開式バケット５に投入し、底開式バケットをダンプトラック１等の搬出車両の荷台の上方に搬送してその底部を開放して土砂を搬出車両に積み込む。クラムシェルを揚重位置と底開式バケットの待機位置の上方との間で往復移動させ、底開式バケットを待機位置において昇降させかつその上昇位置と搬出車両の荷台上方との間で往復移動させる。単軌道７に沿って自走する電動ホイスト８よりクラムシェルを吊り支持して移動させる。電動シリンダ１５等の昇降機構により昇降する昇降軌道１６上に底開式バケットを走行可能に配置し、搬出車両の荷台の上方に連なる固定軌道１７を昇降軌道の上昇位置においてその昇降軌道に連続するように設ける。【選択図】　　　図３
2004044202.tif 000002
【特許請求の範囲】
【請求項１】
掘削土砂をクラムシェルにより揚重して底開式バケットに投入し、底開式バケットを搬出車両の荷台の上方に搬送してその底部を開放することで土砂を搬出車両に積み込む装置であって、クラムシェルを揚重位置と底開式バケットの待機位置の上方との間で往復移動させ、底開式バケットを待機位置において昇降させかつその上昇位置と搬出車両の荷台上方との間で往復移動させる構成としたことを特徴とする土砂揚重積み込み装置。
【請求項２】
単軌道に沿って自走する電動ホイストよりクラムシェルを吊り支持して移動させる構成としたことを特徴とする請求項１記載の土砂揚重積み込み装置。
【請求項３】
昇降機構により昇降する昇降軌道上に底開式バケットを走行可能に配置し、搬出車両の荷台の上方に連なる固定軌道を昇降軌道の上昇位置においてその昇降軌道に連続するように設けたことを特徴とする請求項１または２記載の土砂揚重積み込み装置。
【発明の詳細な説明】
【０００１】
【発明の属する技術分野】
本発明は、掘削土砂を揚重し搬出車両に積み込むための装置に関する。
【０００２】
【従来の技術】
この種の作業を行うための機材としてはバックホウやクラムシェルが一般的であるが、これらはいずれもかなりの作業スペースを必要とするので、充分な作業スペースを確保できない場合、特に高さ制限を受ける場合には、これらの機材をそのまま適用できない場合も多い。
【０００３】
たとえば、既存建物の改修等に際して建物内部から地盤を掘削するような場合、あるいは建物の地下階を逆打ち工法により施工するような場合においては、土砂搬出のための作業を１フロア分の階高（一般にはせいぜい４〜５メートル程度）の範囲内で行わざるを得ない場合があるが、その場合には従来一般のバックホウやクラムシェルでは掘削土砂をダンプトラックに積み込むことはできず、そのため土砂の効率的な搬出作業を行うことは困難であった。また、ベルトコンベアやパンリフター等の連続式排土装置はさほど高さ制限を受けないが、それらは盛り替えの手間を要するし、土質によっては使用し難かったりトラブルが頻発する場合もあって、有効に適用できない場合も多い。
【０００４】
【発明が解決しようとする課題】
以上のことから、高さ方向に充分な作業スペースを確保できない場合であっても、土砂の揚重と搬出車両への積み込み作業を効率的に行い得る有効適切な装置の開発が望まれていた。
【０００５】
【課題を解決するための手段】
上記事情に鑑み、請求項１の発明は、掘削土砂をクラムシェルにより揚重して底開式バケットに投入し、底開式バケットを搬出車両の荷台の上方に搬送してその底部を開放することで土砂を搬出車両に積み込むこととして、クラムシェルを揚重位置と底開式バケットの待機位置の上方との間で往復移動させ、底開式バケットを待機位置において昇降させかつその上昇位置と搬出車両の荷台上方との間で往復移動させる構成としたことを特徴とする。
【０００６】
請求項２の発明は、請求項１の発明において、単軌道に沿って自走する電動ホイストよりクラムシェルを吊り支持して移動させる構成としたことを特徴とする。
【０００７】
請求項３の発明は、請求項１または２の発明において、昇降機構により昇降する昇降軌道上に底開式バケットを走行可能に配置し、搬出車両の荷台の上方に連なる固定軌道を昇降軌道の上昇位置においてその昇降軌道に連続するように設けたことを特徴とする。
【０００８】
【発明の実施の形態】
図１〜図４は本発明の実施形態である土砂揚重積み込み装置を示すもので、図１は全体平面図、図２は図１におけるＩＩ−ＩＩ線視の立面図、図３は図１におけるＩＩＩ−ＩＩＩ線視の立面図、図４は底開式バケットの側面図である。
【０００９】
本実施形態の装置は、既存建物の改修に際して１階を作業階としてそこから地下階に対して掘削を行い、その掘削土砂を地下階から１階に揚重して１０ｔ程度の大型のダンプトラック１に積み込んで搬出するためのもので、その揚重積み込み作業を１階の有効階高の範囲内、すなわち２階のスラブ２を支持している梁３の梁下有効寸法の範囲内で行うべく、クラムシェル４と底開式バケット５を併用するようにしたものである。
【００１０】
本例のクラムシェル４は１ｍ３程度の容量のもので、フレーム６により支持された単軌道７に沿って自走する電動ホイスト（いわゆるテルハ）８より吊り支持され、かつ巻き上げウインチ９により昇降可能とされており、図２に示すようにこのクラムシェル４を上昇させることで掘削土砂を地下階から１階に揚重するとともに、１階に吊り上げたクラムシェル４を電動ホイスト８により底開式バケット５の待機位置の上方まで水平移動させることができるようになっている。
【００１１】
本例の底開式バケット５は２ｍ３程度の容量のもので、図４に示すようにその底部１０が電動シリンダ１１によりリンク１２を介して開閉される構成とされている。この底開式バケット５は車輪１３および走行駆動機構（図示略）を備え、図３に示すように待機位置において昇降ガイド１４に案内されて電動シリンダ１５により昇降可能な昇降軌道１６上に走行可能に設置されている。そして、底開式バケット５の待機位置の側方にはダンプトラック１の荷台の上方まで連なる固定軌道１７が設置されていて、電動シリンダ１５によって昇降軌道１６を底開式バケット５とともに上昇させると、昇降軌道１６は固定軌道１７と自ずと連続するようになっており、その状態では底開式バケット５は昇降軌道１６から固定軌道１７に乗り移ってそのままダンプトラック１の荷台の上方位置まで走行できるようになっている。
【００１２】
本実施形態の装置は、掘削土砂をクラムシェル４から底開式バケット５に受け渡し、その底開式バケット５によってダンプトラック１に積み込むこととする。すなわち、図２に示すようにクラムシェル４により土砂を１階に揚重したら、電動ホイスト８を駆動してクラムシェル４を紙面手前側に水平搬送し、図３（ａ）に示すように床面近くで待機させておいた底開式バケット５の上方位置に導き、そこでクラムシェル４を開いて土砂を底開式バケット５に投入する。底開式バケット５が満杯となったら、図３（ｂ）に示すようにクラムシェル４を底開式バケット５の上方から待避させた状態で、電動シリンダ１５を駆動して底開式バケット５を昇降軌道１６とともに上昇させて昇降軌道１６を固定軌道１７に連続させ、底開式バケット５をそのままダンプトラック１の荷台の上方まで走行させ、そこで図４に示すように底部１０を開放することで土砂を荷台に投入する。その後は、底開式バケット５を逆動作により待機位置まで戻し、ダンプトラック１の荷台が満杯となるまで以上の動作を繰り返せば良い。
【００１３】
以上のように、本実施形態の装置は、クラムシェル４から底開式バケット５に土砂を受け渡し、その底開式バケット５を上昇させ走行させることでダンプトラック１等の搬出車両に積み込むようにしたことにより、１フロアの階高の範囲内で、すなわちせいぜい４〜５メートル程度の高さの範囲内で、搬出車両の荷台への土砂の積み込みを支障なく効率的に行うことが可能となる。
【００１４】
なお、クラムシェル４や底開式バケット５の容量や形態は作業の規模や条件に応じて最適に決定すれば良いし、クラムシェル４を走行させるための機構や、底開式バケット５を昇降させかつ走行させるための機構の具体的な構成も、上記実施形態に限定されることなく適宜の設計的変更が可能である。
【００１５】
勿論、本発明は既存建物の改修に適用するのみならず、高さ方向の作業スペースが充分に確保できない場合に広く適用できることは言うまでもない。
【００１６】
【発明の効果】
請求項１の発明の装置は、掘削土砂をクラムシェルにより揚重して底開式バケットに投入し、底開式バケットを搬出車両の荷台の上方に搬送してその底部を開放することで土砂を搬出車両に積み込む構成としたので、建物の１フロア分の階高程度の作業スペースが確保できない場合であっても、掘削土砂を大型の搬出車両に支障なく効率的に積み込むことが可能であり、充分な作業スペースを確保できないことから在来の機材を使用できない場合に適用して好適である。
【００１７】
請求項２の発明は、単軌道に沿って自走する電動ホイストよりクラムシェルを吊り支持して移動させるようにしたので、汎用の簡便ないわゆるテルハによりクラムシェルを水平移動させることができる。
【００１８】
請求項３の発明は、昇降機構により昇降する昇降軌道上に底開式バケットを走行可能に配置し、搬出車両の荷台の上方に連なる固定軌道を昇降軌道の上昇位置においてその昇降軌道に連続するように設けたので、簡便な機構で底開式バケットを昇降させかつ走行させることができる。
【図面の簡単な説明】
【図１】本発明の実施形態である土砂揚重積み込み装置の概略構成を示す平面図である。
【図２】同、図１におけるＩＩ−ＩＩ線視立面図である。
【図３】同、図１におけるＩＩＩ−ＩＩＩ線視立面図である。
【図４】同、底開式バケットの側面図である。
【符号の説明】
１　ダンプトラック（搬出車両）
４　クラムシェル
５　底開式バケット
７　単軌道
８　電動ホイスト
１４　昇降ガイド
１５　電動シリンダ（昇降機構）
１６　昇降軌道
１７　固定軌道
【図１】
2004044202.tif 000003
【図２】
2004044202.tif 000004
【図３】
2004044202.tif 000005
【図４】
2004044202.tif 000006